(57)【要約】【課題】ロストモーション機構を備えて滑らかな変速ができ、かつ加速時のシフトダウン操作や減速時のシフトアップ操作を規制できる多段変速機を供する。【解決手段】コントロールロッドと一体に移動する規制ロッドＥ，ＦがカムロッドＣに摺接して歯車軸12に設けられ、規制ロッドＥ，Ｆは、摺接したカムロッドＣのカム溝ｖとともに前記ピン部材を係合可能な切欠きが各カム溝ｖに対応して形成され、正回転用のカムロッドＣのカム溝ｖに対応する規制ロッドＥ，Ｆの切欠きｅ，ｆは、変速段確立状態で当該カム溝ｖよりもシフトアップ時のコントロールロッドの移動方向と反対側に長く形成され、逆回転用の前記カムロッドのカム溝に対応する前記規制ロッドＥ，Ｆの切欠きｅ，ｆは、変速段確立状態で当該カム溝ｖよりもシフトダウン時のコントロールロッドの移動方向と反対側に長く形成されている多段変速機。【選択図】図１５
2011033094.tif 000002
【特許請求の範囲】
【請求項１】
互いに平行な歯車軸にそれぞれ複数の駆動歯車と被動歯車が変速段毎に常時噛み合い状態で軸支され、前記駆動歯車と前記被動歯車の一方の複数の歯車が歯車軸に固定され、他方の複数の歯車と歯車軸との間に設けられ互いの係合を行う係合手段が変速駆動手段により切り換え駆動されて変速を行う多段変速機において、
前記係合手段は、歯車の内燃機関からの動力が伝達される正回転と駆動輪側からの動力が伝達される逆回転の各回転方向でのみそれぞれ係合可能な正回転用と逆回転用の２種類の係合手段があり、
各前記係合手段は、
各歯車の内周面の周方向複数箇所に周方向に係合面を有して設けられた係合凸部と、
前記歯車軸に出没自在に設けられ各歯車の前記係合凸部に係脱可能に係合する係合部材と、
前記歯車軸に軸方向に摺動自在に支持され摺接面に複数のカム溝が軸方向所要箇所に形成された複数のカムロッドと、
前記歯車軸の所要箇所に径方向に嵌挿され前記軸方向に移動するカムロッドの摺接面と前記カム溝に交互に接して進退し前記係合部材を作動するピン部材とを備え、
前記変速駆動手段は、
前記複数のカムロッドの内側で前記歯車軸の中空中心軸に設けられるコントロールロッドと、
前記コントロールロッドの外周面と前記複数のカムロッドの内側面との間に介装されて前記コントロールロッドと各カムロッドを軸方向に作用するスプリングを介して連動するロストモーション機構とを備え、
前記コントロールロッドと一体に移動する規制ロッドが前記カムロッドに摺接して前記歯車軸に設けられ、
前記規制ロッドは、摺接した前記カムロッドの前記カム溝とともに前記ピン部材を係合可能な切欠きが各カム溝に対応して形成され、
正回転用の前記カムロッドのカム溝に対応する前記規制ロッドの切欠きは、変速段確立状態で当該カム溝よりもシフトアップ時の前記コントロールロッドの移動方向と反対側に長く形成され、
逆回転用の前記カムロッドのカム溝に対応する前記規制ロッドの切欠きは、変速段確立状態で当該カム溝よりもシフトダウン時の前記コントロールロッドの移動方向と反対側に長く形成されていることを特徴とする多段変速機。
【請求項２】
前記規制ロッドが、正回転用の前記カムロッドと逆回転用の前記カムロッドとの間に挟まれて軸方向に相対的に摺動自在に設けられることを特徴とする請求項１記載の多段変速機。
【請求項３】
前記規制ロッドは、前記コントロールロッドとは別体の部材で形成され、結合手段により前記コントロールロッドと一体に移動するよう結合されることを特徴とする請求項１または請求項２記載の多段変速機。
【請求項４】
前記結合手段は、半割コッタであり、
前記コントロールロッドの外周面に設けられた嵌合溝と前記規制ロッドの内面に設けられた嵌合溝との双方に前記半割コッタが嵌合して前記コントロールロッドに前記規制ロッドを一体に結合することを特徴とする請求項３記載の多段変速機。
【請求項５】
前記カムロッドおよび前記規制ロッドは、同じ機能を有するロッドが前記コントロールロッドの外周囲に相対向して対称位置に配設されることを特徴とする請求項１ないし請求項４のいずれか記載の多段変速機。
【発明の詳細な説明】
【技術分野】
【０００１】
本発明は、互いに平行な歯車軸にそれぞれ複数の駆動歯車と被動歯車が変速段毎に常時噛み合い状態で軸支された多段変速機に関する。
【背景技術】
【０００２】
この常時噛合い式の多段変速機は、駆動歯車と被動歯車の一方が歯車軸に固定され、他方が歯車軸に回転自在に軸支され、係合手段により回転自在の歯車のうち回転軸に係合する歯車を切り換えることで変速を行う。
【０００３】
複数の歯車と歯車軸との間に設けられ互いの係合を行う係合手段を切り換え駆動して変速を行う変速駆動手段にロストモーション機構を組み込んだ構成が、同じ出願人により先に出願された例にある（特許文献１）。
【先行技術文献】
【特許文献】
【０００４】
【特許文献１】特願２００８−２４６７５４
【０００５】
同特許文献１に開示された多段変速機の変速駆動手段は、歯車軸の中空中心軸に配設されるコントロールロッドが歯車軸の中空内周面に軸方向に移動自在に摺接する４種類のカムロッドの内側に摺接しており、４種類のカムロッドの内側の左右にロストモーション機構が配置され、各ロストモーション機構は所要のカムロッドと連結している。
【０００６】
ロストモーション機構は、コントロールロッドと各カムロッドとの間に軸方向に作用するスプリングをそれぞれ介装して連動したもので、このロストモーション機構が歯車軸の中空内に収容されている。
コントロールロッドを移動して変速する場合に、このロストモーション機構により、変速前の係合手段による係合が維持された状態から変速後の係合手段の係合状態に移行する時に先の係合維持された係合手段が自然と解除されて滑らかに移行することができ、変速が間断なく円滑に実行される。
【発明の概要】
【発明が解決しようとする課題】
【０００７】
加速時のシフトアップおよび減速時のシフトダウンは、上記のように変速が円滑に実行されるが、加速時のシフトダウンや減速時のシフトアップは、変速時に先に係合維持された係合手段が自然と解除されることはないので、そのままでは変速できない。
しかし、変速できないにもかかわらず、ロストモーション機構によりコントロールロッドは移動してしまうので、シフト操作をした運転者は、操作できても変速できないという事態に違和感を覚える。
【０００８】
本発明は、かかる点に鑑みなされたもので、その目的とする処は、ロストモーション機構を備えて滑らかな変速ができ、かつ加速時のシフトダウン操作や減速時のシフトアップ操作を規制できる多段変速機を供する点にある。
【課題を解決するための手段】
【０００９】
上記目的を達成するために、請求項１記載の発明は、互いに平行な歯車軸にそれぞれ複数の駆動歯車と被動歯車が変速段毎に常時噛み合い状態で軸支され、前記駆動歯車と前記被動歯車の一方の複数の歯車が歯車軸に固定され、他方の複数の歯車と歯車軸との間に設けられ互いの係合を行う係合手段が変速駆動手段により切り換え駆動されて変速を行う多段変速機において、前記係合手段は、歯車の内燃機関からの動力が伝達される正回転と駆動輪側からの動力が伝達される逆回転の各回転方向でのみそれぞれ係合可能な正回転用と逆回転用の２種類の係合手段があり、各前記係合手段は、各歯車の内周面の周方向複数箇所に周方向に係合面を有して設けられた係合凸部と、前記歯車軸に出没自在に設けられ各歯車の前記係合凸部に係脱可能に係合する係合部材と、前記歯車軸に軸方向に摺動自在に支持され摺接面に複数のカム溝が軸方向所要箇所に形成された複数のカムロッドと、前記歯車軸の所要箇所に径方向に嵌挿され前記軸方向に移動するカムロッドの摺接面と前記カム溝に交互に接して進退し前記係合部材を作動するピン部材とを備え、前記変速駆動手段は、前記複数のカムロッドの内側で前記歯車軸の中空中心軸に設けられるコントロールロッドと、前記コントロールロッドの外周面と前記複数のカムロッドの内側面との間に介装されて前記コントロールロッドと各カムロッドを軸方向に作用するスプリングを介して連動するロストモーション機構とを備え、前記コントロールロッドと一体に移動する規制ロッドが前記カムロッドに摺接して前記歯車軸に設けられ、前記規制ロッドは、摺接した前記カムロッドの前記カム溝とともに前記ピン部材を係合可能な切欠きが各カム溝に対応して形成され、正回転用の前記カムロッドのカム溝に対応する前記規制ロッドの切欠きは、変速段確立状態で当該カム溝よりもシフトアップ時の前記コントロールロッドの移動方向と反対側に長く形成され、逆回転用の前記カムロッドのカム溝に対応する前記規制ロッドの切欠きは、変速段確立状態で当該カム溝よりもシフトダウン時の前記コントロールロッドの移動方向と反対側に長く形成されている多段変速機とした。
【００１０】
請求項２記載の発明は、請求項１記載の多段変速機において、前記規制ロッドが、正回転用の前記カムロッドと逆回転用の前記カムロッドとの間に挟まれて軸方向に相対的に摺動自在に設けられることを特徴とする。
【００１１】
請求項３記載の発明は、請求項１または請求項２記載の多段変速機において、前記規制ロッドは、前記コントロールロッドとは別体の部材で形成され、結合手段により前記コントロールロッドと一体に移動するよう結合されることを特徴とする。
【００１２】
請求項４記載の発明は、請求項３記載の多段変速機において、前記結合手段は、半割コッタであり、前記コントロールロッドの外周面に設けられた嵌合溝と前記規制ロッドの内面に設けられた嵌合溝との双方に、前記半割コッタが嵌合して前記コントロールロッドに前記規制ロッドを一体に結合することを特徴とする。
【００１３】
請求項５記載の発明は、請求項１ないし請求項４のいずれか記載の多段変速機において、前記カムロッドおよび前記規制ロッドは、同じ機能を有するロッドが前記コントロールロッドの外周囲に相対向して対称位置に配設されることを特徴とする。
【発明の効果】
【００１４】
請求項１記載の多段変速機によれば、コントロールロッドが操作されてロストモーション機構を介して正回転用と逆回転用の２種類の係合手段のいずれかが切換え作動されて変速を行う多段変速機において、コントロールロッドと一体に移動する規制ロッドがカムロッドに摺接して歯車軸に設けられ、正回転用のカムロッドのカム溝に対応する規制ロッドの切欠きは、変速段確立状態で当該カム溝よりもシフトアップ時のコントロールロッドの移動方向と反対側に長尺に形成されているので、内燃機関からの動力が伝達される加速時にシフトアップするためにコントロールロッドを移動すると、規制ロッドの切欠きが係合状態にある係合手段のピン部材よりも移動方向と反対側に余裕を持っているため、規制ロッドと一体のコントロールロッドを移動してシフトアップが円滑に実行されるが、加速時にシフトダウンするためにコントロールロッドを移動しようとすると、規制ロッドの切欠きが係合状態にある係合手段のピン部材よりも移動方向と反対側に余裕がなく、規制ロッドとともにコントロールロッドの移動が規制されることになり、シフトダウン操作自体が規制され、操作しようとした運転者は違和感を覚えることがない。
【００１５】
また、逆回転用のカムロッドのカム溝に対応する規制ロッドの切欠きは、変速段確立状態で当該カム溝よりもシフトダウン時のコントロールロッドの移動方向と反対側に長尺に形成されているので、駆動輪側からの動力が伝達される減速時にシフトダウンするためにコントロールロッドを移動すると、規制ロッドの切欠きが係合状態にある係合手段のピン部材よりも移動方向と反対側に余裕を持っているため、規制ロッドと一体のコントロールロッドを移動してシフトダウンが円滑に実行されるが、減速時にシフトアップするためにコントロールロッドを移動しようとすると、規制ロッドの切欠きが係合状態にある係合手段のピン部材よりも移動方向と反対側に余裕がなく、規制ロッドとともにコントロールロッドの移動が規制されることになり、シフトアップ操作自体が規制され、操作しようとした運転者は違和感を覚えることがない。
【００１６】
請求項２記載の多段変速機によれば、規制ロッドが、正回転用のカムロッドと逆回転用のカムロッドとの間に挟まれて軸方向に相対的に摺動自在に設けられるので、これら規制ロッドと正回転用と逆回転用のカムロッドを支持する歯車軸にはそれぞれに溝を設けることなく共通の軸方向に摺動可能な溝を１本形成すればよく、加工工数が削減できる。
また、正回転用と逆回転用の２本のカムロッドのカム溝にそれぞれ対応する切欠きを１本の規制ロッドに設けて対応することができ、部品点数を削減することができる。
【００１７】
請求項３記載の多段変速機によれば、規制ロッドがコントロールロッドとは別体の部材で形成され、結合手段によりコントロールロッドと一体に移動するよう結合されるので、規制ロッドとコントロールロッドがそれぞれ別に形成され、規制ロッドとコントロールロッドを一体に形成するよりも、容易に加工形成することができる。
【００１８】
請求項４記載の多段変速機によれば、コントロールロッドの外周面に設けられた嵌合溝と規制ロッドの内面に設けられた嵌合溝との双方に半割コッタが嵌合してコントロールロッドに規制ロッドを一体に結合するので、別体のコントロールロッドと規制ロッドを簡単な結合構造で一体に結合することができる。
【００１９】
請求項５記載の多段変速機によれば、カムロッドおよび規制ロッドは、同じ機能を有するロッドがコントロールロッドの外周囲に相対向して対称位置に配設されるので、コントロールロッドの動きをカムロッドおよび規制ロッドに偏りなく伝達することができ、軸心を維持して動きを円滑にすることができる。
【図面の簡単な説明】
【００２０】
【図１】本発明の一実施の形態に係る多段変速機の断面図である。
【図２】カウンタ歯車軸およびその周りの構造を示す断面図（図４，図５のII−II線断面図）である。
【図３】カウンタ歯車軸およびその周りの構造を示す別の断面図（図４，図５のIII−III線断面図）である。
【図４】図２，図３のIV−IV線断面図である。
【図５】図２，図３のＶ−Ｖ線断面図である。
【図６】コントロールロッドとロストモーション機構の分解斜視図である。
【図７】コントロールロッドにロストモーション機構組み付けた状態とカムロッド等の分解斜視図である。
【図８】規制ロッドの斜視図である。
【図９】規制ロッドの左側面図（図８のIX矢視図）である。
【図１０】カウンタ歯車軸およびピン部材とスプリングの一部の分解斜視図である。
【図１１】カウンタ歯車軸の左側面図（図１０のXI矢視図）である。
【図１２】揺動爪部材および支軸ピン，ピン部材，スプリングの分解斜視図である。
【図１３】コントロールロッドに変速駆動手段の一部および係合手段を組み付けた状態を示す斜視図である。
【図１４】図１３に示す状態のカウンタ歯車軸に軸受カラー部材を外装した状態を示す斜視図である。
【図１５】１速の加速状態におけるカムロッドと規制ロッドおよびピン部材の位置関係を示す説明図である。
【図１６】２速の加速状態におけるカムロッドと規制ロッドおよびピン部材の位置関係を示す説明図である。
【図１７】２速の減速状態におけるカムロッドと規制ロッドおよびピン部材の位置関係を示す説明図である。
【発明を実施するための形態】
【００２１】
以下、本発明に係る一実施の形態について図１ないし図１７に基づいて説明する。
本実施の形態に係る多段変速機10は、自動二輪車に搭載される内燃機関に組み込まれて構成されている。
図１は、本多段変速機10の断面図であり、同図１に示すように、該多段変速機10は、内燃機関と共通の機関ケース１に設けられている。
左右割りの左機関ケース１Ｌと右機関ケース１Ｒが合体して構成された機関ケース１は、変速室２を形成しており、同変速室２にメイン歯車軸11とカウンタ歯車軸12が互いに平行に左右方向に指向して回転自在に軸支されている。
【００２２】
メイン歯車軸11は、左機関ケース１Ｌの側壁と右機関ケース１Ｒの側壁１RRにベアリング３Ｌ，３Ｒを介して回転自在に軸支され、右ベアリング３Ｒを貫通して変速室２から突出した右端部には多板式の摩擦クラッチ５が設けられている。
【００２３】
摩擦クラッチ５の左側には、図示されないクランク軸の回転が伝達されるプライマリ被動ギヤ４がメイン歯車軸11に回転自在に軸支されている。
内燃機関のクランク軸の回転がプライマリ被動ギヤ４から係合状態の摩擦クラッチ５を介してメイン歯車軸11に伝達される。
【００２４】
他方、カウンタ歯車軸12も、左機関ケース１Ｌの側壁と右機関ケース１Ｒの側壁１RRにベアリング７Ｌ，７Ｒを介して回転自在に軸支され、左ベアリング７Ｌを貫通して変速室２から突出した左端部には出力スプロケット70がスプライン嵌合して固定される。
【００２５】
出力スプロケット70に巻き掛けられた駆動チェーンが後方の図示されない後輪を駆動するスプロケットに巻き掛けられ、カウンタ歯車軸12の回転動力が後輪に伝達され、車両が走行する。
【００２６】
メイン歯車軸11には、左右のベアリング３Ｌ，３Ｒの間に駆動変速歯車ｍ群がメイン歯車軸11と一体に回転可能にメイン歯車軸11に構成されている。
右ベアリング３Ｒに沿って第１駆動変速歯車ｍ１がメイン歯車軸11に一体に形成され、メイン歯車軸11の同第１駆動変速歯車ｍ１と左ベアリング３Ｌとの間に形成されたスプラインに右から左へ順に順次径を大きくした第２，第３，第４，第５，第６駆動変速歯車ｍ２，ｍ３，ｍ４，ｍ５，ｍ６がスプライン嵌合されている。
【００２７】
他方、カウンタ歯車軸12には、左右のベアリング７Ｌ，７Ｒの間に被動変速歯車ｎ群が円環状の軸受カラー部材13を介して回転自在に軸支されている。
カウンタ歯車軸12において、右ベアリング７Ｒの左に介装されたカラー部材14Ｒを介して外装された右端の軸受カラー部材13と、左ベアリング７Ｌの右に介装されたカラー部材14Ｌを介して外装された左端の軸受カラー部材13との間に、等間隔に５つの軸受カラー部材13が外装され、この全部で７つの軸受カラー部材13の隣り合う軸受カラー部材13，13間に跨るようにして右から左へ順に順次径を小さくした第１，第２，第３，第４，第５，第６被動変速歯車ｎ１，ｎ２，ｎ３，ｎ４，ｎ５，ｎ６が回転自在に軸支されている。
【００２８】
メイン歯車軸11と一体に回転する第１，第２，第３，第４，第５，第６駆動変速歯車ｍ１，ｍ２，ｍ３，ｍ４，ｍ５，ｍ６は、カウンタ歯車軸12に回転自在に軸支される対応する第１，第２，第３，第４，第５，第６被動変速歯車ｎ１，ｎ２，ｎ３，ｎ４，ｎ５，ｎ６にそれぞれ常時噛み合っている。
【００２９】
第１駆動変速歯車ｍ１と第１被動変速歯車ｎ１の噛合が、最も減速比の大きい１速を構成し、第６駆動変速歯車ｍ６と第６被動変速歯車ｎ６の噛合が、最も減速比の小さい６速を構成し、その間順次減速比が小さくなって２速、３速、４速、５速が構成される。
【００３０】
カウンタ歯車軸12に変速段が奇数段の奇数段歯車（第１，第３，第５被動変速歯車ｎ１，ｎ３，ｎ５）と変速段が偶数段の偶数段歯車（第２，第４，第６被動変速歯車ｎ２，ｎ４，ｎ６）が交互に配列されることになる。
【００３１】
中空筒状をなすカウンタ歯車軸12は、各被動変速歯車ｎと係合可能な係合手段20が後記するように組み込まれ、後記するように係合手段20の１構成要素である種類ごと２本ずつ４種類の計８本のカムロッドＣ（Ｃao，Ｃao，Ｃae，Ｃae，Ｃbo，Ｃbo，Ｃbe，Ｃbe）と２本ずつ２種類の計４本の規制ロッドＥ，Ｆがカウンタ歯車軸12の中空内周面に形成された後記するカム案内溝12ｇに嵌合して軸方向に移動自在に設けられる。
【００３２】
このカムロッドＣを駆動して変速する変速駆動手段50の１構成要素であるコントロールロッド51が、カウンタ歯車軸12の中空中心軸に挿入されており、コントロールロッド51の軸方向の移動は、規制ロッドＥ，Ｆを一体に移動するとともに、ロストモーション機構52，53を介して連動してカムロッドＣを軸方向に移動する。
【００３３】
このコントロールロッド51を軸方向に移動する機構が、右機関ケース１Ｒに設けられている。
コントロールロッド51の軸方向の移動は、ロストモーション機構52，53を介してカムロッドＣを軸方向に連動し、このカムロッドＣの移動がカウンタ歯車軸12に組み込まれた係合手段20により各被動変速歯車ｎを選択的にカウンタ歯車軸12と係合して変速を行う。
【００３４】
図６を参照して、変速駆動手段50のコントロールロッド51は、円柱棒状をなし、軸方向の中央に縮径して中央凹部51ｃが形成され、さらに左右２か所に縮径して形成された外周凹部51ａ，51ｂがそれぞれ所定長さに亘って形成されている。
コントロールロッド51の左端部51aaは短く、右端は長尺で雄ねじが形成された雄ねじ端部51bbと、その雄ねじ端部51bbの手前に６角形状のナット部51ｎが形成されている。
【００３５】
このコントロールロッド51の左右の外周凹部51ａ，51ｂにそれぞれ対応してロストモーション機構52，53が組み付けられる。
左右のロストモーション機構52，53は、同じ構造のものを互いに左右対称になるように配設している。
【００３６】
左側のロストモーション機構52は、コントロールロッド51を摺動自在に嵌挿するスプリングホルダ52ｈが長尺ホルダ52hlと短尺ホルダ52hsの連結で構成され、内周面にコントロールロッド51の外周凹部51ａに対応する内周凹部52haが形成されている。
【００３７】
このスプリングホルダ52ｈにコントロールロッド51を貫通させてスプリングホルダ52ｈを外周凹部51ａに位置させたとき、スプリングホルダ52ｈの内周凹部52haとコントロールロッド51の外周凹部51ａの両空間が共通の空間を構成する。
【００３８】
スプリングホルダ52ｈの内周凹部52haとコントロールロッド51の外周凹部51ａの両空間に跨るようにスプリング受けである左右一対のコッタ52ｃ，52ｃが対向して嵌挿され、両コッタ52ｃ，52ｃ間にコントロールロッド51に巻回される圧縮コイルスプリング52ｓが介装されて両コッタ52ｃ，52ｃを離間する方向に付勢する。
なお、コッタ52ｃは、スプリングホルダ52ｈの内周凹部52haの内径を外径とし、コントロールロッド51の外周凹部51ａの外径を内径とした中空円板状をなし、組み付けのため半割りにされている。
【００３９】
右側のロストモーション機構53（スプリングホルダ53ｈ，長尺ホルダ53hl，短尺ホルダ53hs，内周凹部53ha，コッタ53ｃ，圧縮コイルスプリング53ｓ）も同じ構造をしてコントロールロッド51の外周凹部51ｂに配設される。
したがって、コントロールロッド51が軸方向に移動すると、左右のロストモーション機構52，53の圧縮コイルスプリング52ｓ，53ｓを介してスプリングホルダ52ｈ，53ｈが軸方向に移動する。
【００４０】
このコントロールロッド51の左右の外周凹部51ａ，51ｂに取り付けられたロストモーション機構52，53のスプリングホルダ52ｈ，53ｈの外周面に、８本のカムロッドＣ（Ｃao，Ｃao，Ｃae，Ｃae，Ｃbo，Ｃbo，Ｃbe，Ｃbe）が放射位置にあって当接される（図７参照）。
【００４１】
カムロッドＣは、断面が矩形で軸方向に長尺に延びる角柱棒状部材であり、スプリングホルダ52ｈ，53ｈと接する内周側面の反対側の外周側面がカム面を形成しており、カム面にカム溝ｖが所要３か所に形成され、内周側面にはスプリングホルダ52ｈ，53ｈのいずれか一方を左右から挟むように係止する一対の係止爪ｐが突出している。
カムロッドＣは、断面が特別な形状をしておらず概ね外形が単純な矩形の角柱棒状部材であるので、カムロッドＣを容易に製造することができる。
【００４２】
カム溝ｖ１，ｖ３，ｖ５が奇数段歯車（第１，第３，第５被動変速歯車ｎ１，ｎ３，ｎ５）に対応する３か所に形成された奇数段用カムロッドＣao，Ｃboには、正回転（加速時に被動変速歯車ｎからカウンタ歯車軸12に力が加わる回転方向）用と逆回転（減速時に被動変速歯車ｎからカウンタ歯車軸12に力が加わる回転方向）用の２種類があり、一方の正回転奇数段用カムロッドＣaoは、内周側面に右側スプリングホルダ53ｈに係止する係止爪ｐを有し、他方の逆回転奇数段用カムロッドＣboは、内周側面に左側スプリングホルダ52ｈに係止する係止爪ｐを有する（図７参照）。
【００４３】
同様に、カム溝ｖ２，ｖ４，ｖ６が偶数段の偶数段歯車（第２，第４，第６被動変速歯車ｎ２，ｎ４，ｎ６）に対応する３か所に形成された偶数段用カムロッドＣae，Ｃbeには、正回転用と逆回転用の２種類があり、一方の正回転偶数段用カムロッドＣaeは、内周側面に左側スプリングホルダ52ｈに係止する係止爪ｐを有し、他方の逆回転偶数段用カムロッドＣbeは、内周側面に右側スプリングホルダ53ｈに係止する係止爪ｐを有する（図７参照）。
【００４４】
したがって、コントロールロッド51の軸方向の移動により、右側のロストモーション機構53の圧縮コイルスプリング53ｓを介してスプリングホルダ53ｈとともに正回転奇数段用カムロッドＣaoと逆回転偶数段用カムロッドＣbeが軸方向に連動し、左側のロストモーション機構52のコイルスプリング52ｓを介してスプリングホルダ52ｈとともに逆回転奇数段用カムロッドＣboと正回転偶数段用カムロッドＣaeが軸方向に連動する。
【００４５】
また、図７に示すように、２種類の規制ロッドＥ，Ｆが２本ずつ計４本の規制ロッドがそれぞれ２本のカムロッドＣに挟まれるようにして設けられる。
一方の規制ロッドＥは、正回転偶数段用カムロッドＣaeと逆回転奇数段用カムロッドＣboに挟まれ、他方の規制ロッドＦは、正回転奇数段用カムロッドＣaoと逆回転偶数段用カムロッドＣbeに挟まれて装着される。
【００４６】
図８および図９に図示するように、規制ロッドＥ，Ｆは、断面が幅狭の扇形状をなして左右方向に長尺の棒状をしており、カムロッドＣの矩形断面と比べ径方向長さは略同じで、周方向幅は大きい。
規制ロッドＥは、正回転偶数段用カムロッドＣaeが摺接する側面と外周面とが交わる側縁に正回転偶数段用カムロッドＣaeのカム溝ｖ２，ｖ４，ｖ６に対応して切欠きｅ２，ｅ４，ｅ６が形成され、逆回転奇数段用カムロッドＣboが摺接する側面と外周面とが交わる側縁に逆回転奇数段用カムロッドＣboのカム溝ｖ１，ｖ３，ｖ５に対応して切欠きｅ１，ｅ３，ｅ５が形成されている。
【００４７】
同様に、規制ロッドＦは、正回転奇数段用カムロッドＣaoが摺接する側面と外周面とが交わる側縁に正回転奇数段用カムロッドＣaoのカム溝ｖ１，ｖ３，ｖ５に対応して切欠きｆ１，ｆ３，ｆ５が形成され、逆回転偶数段用カムロッドＣbeが摺接する側面と外周面とが交わる側縁に逆回転偶数段用カムロッドＣbeのカム溝ｖ２，ｖ４，ｖ６に対応して切欠きｆ２，ｆ４，ｆ６が形成されている。
【００４８】
なお、カム溝ｖ１，ｖ２，ｖ３，ｖ４，ｖ５，ｖ６が全て軸方向に短尺の同じ長さを有するのに対して、規制ロッドＥの切欠きｅ１と切欠きｅ６を除き、他の切欠きｅ２，ｅ３，ｅ４，ｅ５および規制ロッドＦの切欠きｆ１，ｆ２，ｆ３，ｆ４，ｆ５，ｆ６は、カム溝ｖより軸方向に２倍程度長尺であり、切欠きｅ１と切欠きｅ６はカム溝ｖと略同じ軸方向長さである。
【００４９】
規制ロッドＥは、内周面の軸方向の中央付近の所定位置に所定幅を有して対向する１対の係止爪ep，epが突出形成され、同様に規制ロッドＦも内周面の所定位置に１対の係止爪fp，fpが突出形成されている。
【００５０】
規制ロッドＥ，Ｆは、図９に示すようにそれぞれ２本のカムロッドＣ（図９に２点鎖線で示す）に挟まれた状態で、前記左右ロストモーション機構52，53のスプリングホルダ52ｈ，53ｈに内周面を接して配設されるが、図７に示すように、コントロールロッド51の中央凹部51ｃに組み付けのため半割りにされたコッタ80が嵌合され、このコッタ80に規制ロッドＥの内周面に突出した１対の係止爪ep，epおよび規制ロッドＦの内周面に突出した１対の係止爪fp，fpが左右から挟持するように嵌合し、コッタ80を介してコントロールロッド51と規制ロッドＥ，Ｆが結合している。
【００５１】
なお、コントロールロッド51の中央凹部51ｃに嵌合したコッタ80の外周面と一側面にリテーナ81を被せ、コッタ80の他の側面にワッシャ82を当てがった状態で、規制ロッドＥの係止爪ep，ep間の嵌合溝および規制ロッドＦの係止爪fp，fp間の嵌合溝に嵌合し、リテーナ81とワッシャ82を介装することで、コントロールロッド51と規制ロッドＥ，Ｆが一体に結合されている。
したがって、規制ロッドＥ，Ｆは、コントロールロッド51と一体に左右軸方向に移動する。
【００５２】
図７に示すように、コントロールロッド51のナット部51ｎより右側の右端部分には、円筒状をしたコントロールロッド操作子55が、その内側に嵌装されたボールベアリング56を介して取り付けられる。
【００５３】
ボールベアリング56は、軸方向に２個連結したもので、コントロールロッド51のナット部51ｎより右側の右端部分に嵌入され、雄ねじ端部51bbに螺合されるナット57によりナット部51ｎとの間で挟まれて締結される。
【００５４】
したがって、コントロールロッド操作子55は、コントロールロッド51の右端部を回転自在に保持している。
このコントロールロッド操作子55の螺着されたナット57より右側に延出した円筒部に直径方向に穿孔したピン孔55ｈが形成されており、同ピン孔55ｈにシフトピン58が貫通する。
【００５５】
コントロールロッド操作子55に貫通されたシフトピン58は、図１を参照して、両端を突出させている。
右機関ケース１Ｒの側壁１RRの右方に突出したガイド部１Raに溝条60が左右方向に指向して形成されており、この溝条60にシフトピン58の突出した一端頭部が摺動自在に嵌合してシフトピン58の回り止めとしている。
【００５６】
側壁１RRには右方に突出して支軸65が植設されて、同支軸65にベアリング66を介してシフトドラム67が回動自在に軸支されており、このシフトドラム67のシフト溝67ｖにシフトピン58の突出した他端部が摺動自在に嵌合している。
【００５７】
シフトドラム67のシフト溝67ｖは、ドラム外周面に略一周に亘って螺旋を描くように形成され、その間に所定回動角度（例えば60度）毎に１速から６速までの各変速段位置およびその途中にニュートラル位置が形成されている。
【００５８】
したがって、シフトドラム67の回動は、シフト溝67ｖに嵌合するシフトピン58をコントロールロッド操作子55とともに軸方向に移動させる。
コントロールロッド操作子55はコントロールロッド51の右端部を回転自在に保持しているので、結局シフトドラム67の回動はコントロールロッド51を軸方向に移動させる。
【００５９】
このシフトドラム67は、図示されないシフトセレクトレバーの手動操作によってシフト伝達手段（図示せず）を介して回動する。
シフト伝達手段は、シフトドラム67を所定角度毎の変速段位置に安定して保持させるシフトカム部材などの機構を備えてシフトセレクトレバーの操作動力をシフトドラム67の側縁に形成されたギヤ67ｇに伝達してシフトドラム67を順次変速段位置に回動する。
【００６０】
以上のように、変速駆動手段50は、シフトセレクトレバーの手動操作によってシフトドラム67が回動し、シフトドラム67の回動がシフト溝67ｖに嵌合したシフトピン58を案内して軸方向に移動し、シフトピン58の移動がコントロールロッド操作子55を介してコントロールロッド51を軸方向に移動し、コントロールロッド51の移動がロストモーション機構52，53を介して係合手段20の８本のカムロッドＣao，Ｃao，Ｃae，Ｃae，Ｃbo，Ｃbo，Ｃbe，Ｃbeを連動する。
【００６１】
ロストモーション機構52，53が組み付けられたコントロールロッド51は、カウンタ歯車軸12の中空内に挿入され中心軸に配設される。
この中空円筒状のカウンタ歯車軸12は、内径がロストモーション機構52，53のスプリングホルダ52ｈ，53ｈの外径に略等しく、コントロールロッド51に取り付けられたスプリングホルダ52ｈ，53ｈを摺動自在に嵌挿する。
【００６２】
図１１のカウンタ歯車軸12の左側面図を参照して、カウンタ歯車軸12の中空の内周面における周方向等間隔の４か所の放射位置に断面が扇形状の４本のカム案内溝12ｇが軸方向に指向して延出形成されている。
正回転偶数段用カムロッドＣaeと逆回転奇数段用カムロッドＣboが規制ロッドＥを挟み、正回転奇数段用カムロッドＣaoと逆回転偶数段用カムロッドＣbeが規制ロッドＦを挟み束にした状態で、カム案内溝12ｇに摺動自在に嵌合する。
同種類のカムロッドＣと規制ロッドＥ，Ｆは、対称位置に配設される。
したがって、コントロールロッド51の動きをカムロッドＣおよび規制ロッドＥ，Ｆに偏りなく伝達することができ、軸心を維持して動きを円滑にすることができる。
【００６３】
カウンタ歯車軸12における８本のカムロッドＣおよび４本の規制ロッドＥ，Ｆの回り止めとなるカム案内溝12ｇは、２本のカムロッドＣと１本の規制ロッドＥ，Ｆを束にした状態で嵌合されるので、４本で足り、カウンタ歯車軸12の加工工数が削減できる。
【００６４】
カム案内溝12ｇの深さはカムロッドＣおよび規制ロッドＥ，Ｆの径方向の長さに略等しく、よってカムロッドＣの外周側面であるカム面はカム案内溝12ｇの底面に略摺接し、内周側面は中空内周面と略同一面をなしてスプリングホルダ52ｈ，53ｈの外周面に接し、内周側面から突出した係止爪ｐはスプリングホルダ52ｈ，53ｈのいずれかを両側から挟むようにして掴む。
【００６５】
中空筒状をなすカウンタ歯車軸12は、軸受カラー部材13を介して被動変速歯車ｎが軸支される中央円筒部12ａの左右両側に外径が縮径された左側円筒部12ｂと右側円筒部12ｃが形成されている（図１０参照）。
【００６６】
左側円筒部12ｂにはワッシャ14Ｌを介してベアリング７Ｌが嵌合されるとともに、一部スプライン12ｓが形成されて出力スプロケット70がスプライン嵌合され、他方、右側円筒部12ｃにはワッシャ14Ｒを介してベアリング７Ｒが嵌合される（図１，図２，図３参照）。
【００６７】
カウンタ歯車軸12の中空内は、カム案内溝12ｇが形成される内径がスプリングホルダ52ｈ，53ｈの外径に等しい小径内周面と、同小径内周面の両側の内径がカム案内溝12ｇの底面と略同一周面をなす大径内周面とが形成されている（図２，図３参照）。
右側の拡大内径部の内側に前記コントロールロッド操作子55が半分程挿入されている。
【００６８】
このように、カウンタ歯車軸12の中空内にコントロールロッド51とロストモーション機構52，53と８本のカムロッドＣao，Ｃao，Ｃae，Ｃae，Ｃbo，Ｃbo，Ｃbe，Ｃbeと４本の規制ロッドＥ，Ｆが組み込まれると、これら全てが一緒に回転し、コントロールロッド51が軸方向に移動すると、コントロールロッド51と一体に規制ロッドＥ，Ｆが軸方向に移動するとともに、左側ロストモーション機構52のコイルスプリング52ｓを介して逆回転奇数段用カムロッドＣboと正回転偶数段用カムロッドＣaeが軸方向に連動し、右側ロストモーション機構53のコイルスプリング53ｓを介して正回転奇数段用カムロッドＣaoと逆回転偶数段用カムロッドＣbeが軸方向に連動する。
【００６９】
ロストモーション機構52，53がカウンタ歯車軸12の軸方向に並んでコントロールロッド51の外周面と複数のカムロッドＣの内側面との間に介装されるので、カウンタ歯車軸12の中空内にあってコントロールロッド51，ロストモーション機構52，53，カムロッドＣと径方向に重なる構造で多段変速機10の軸方向の拡大を避け、ロストモーション機構52，53をカウンタ歯車軸12の中空内にコンパクトに収容して、多段変速機10自体の小型化を図ることができる。
【００７０】
ロストモーション機構52，53は、コントロールロッド51上に軸方向に２つ設け、各ロストモーション機構52，53は互いに別のカムロッドＣを連動するので、１本のコントロールロッド51の移動に対して複数のカムロッドＣに２種類の異なる動きをさせて変速を滑らかにさせることを可能とするとともに、ロストモーション機構52，53を対称な構造として、製造コストを抑えるとともに組立て時の部品管理を容易とする。
【００７１】
図１０に示すように、カウンタ歯車軸12の軸受カラー部材13を介して被動変速歯車ｎが軸支される中央円筒部12ａは、外径が大きく厚肉に構成されており、この厚肉の外周部に周方向に一周する幅狭の周方向溝12cvが第１，第２，第３，第４，第５，第６被動変速歯車ｎ１，ｎ２，ｎ３，ｎ４，ｎ５，ｎ６に対応して軸方向に亘って等間隔に６本形成されるとともに、軸方向に指向した軸方向溝12avが周方向に亘って等間隔に４本形成されている。
【００７２】
さらに、カウンタ歯車軸12の中央円筒部12ａの外周部には、４本の軸方向溝12avで区画された４つの部分が各周方向溝12cvにおいて周方向溝12cvの溝幅を隣り合う軸方向溝12av，12av間に亘って長尺に左右均等に拡大した長尺矩形凹部12ｐと、周方向溝12cvの溝幅を隣り合う軸方向溝12av，12av間の一部で左右均等に拡大した短尺矩形凹部12ｑとが、軸方向に交互に形成されている。
【００７３】
長尺矩形凹部12ｐの底面の周方向に離れた２か所に軸方向に長尺の楕円形をして周方向溝12cvに跨って若干凹んだスプリング受部12ｄ，12ｄが形成されている。
また、短尺矩形凹部12ｑと軸方向溝12avとの間の厚肉部で周方向溝12cv上にピン孔12ｈが前記カム案内溝12ｇまで径方向に穿孔されている。
【００７４】
すなわち、カウンタ歯車軸12の中空内周面から周方向の４か所に刻設されたカム案内溝12ｇの放射方向にピン孔12ｈが穿孔される。
各周方向溝12cv上にはそれぞれ４か所ピン孔12ｈが形成される。
【００７５】
スプリング受部12ｄには、楕円形に巻回された圧縮スプリング22がその端部を嵌装させて設けられる。
ピン孔12ｈにはピン部材23が摺動自在に嵌挿される。
【００７６】
各カム案内溝12ｇには１本の規制ロッドＥ（Ｆ）とこれを挟むように２本のカムロッドＣが束になって摺動自在に嵌合されるので、ピン孔12ｈに嵌挿されたピン部材23は中心側端部が対応するカムロッドＣのカム面と規制ロッドＥ（Ｆ）の外周面に跨って接し、カムロッドＣおよび規制ロッドＥ（Ｆ）の移動でカム溝ｖと切欠きｅ(ｆ)がピン孔12ｈに対応するとピン部材23がカム溝ｖと切欠きｅ(ｆ)に落ち込み、カム溝ｖ以外の摺接面および切欠きｅ(ｆ)以外の外周面が対応するとピン部材は摺接面および外周面に乗り上げ、カムロッドＣおよび規制ロッドＥ（Ｆ）の移動により進退する。
ピン孔12ｈ内でのピン部材23の進退は、その遠心側端部を周方向溝12cvの底面より外側に出没させる。
【００７７】
以上のような構造のカウンタ歯車軸12の中央円筒部12ａの外周部に形成された長尺矩形凹部12ｐと短尺矩形凹部12ｑと両凹部間を連通する周方向溝12cvに、揺動爪部材Ｒが埋設され、軸方向溝12avに揺動爪部材Ｒを揺動自在に軸支する支軸ピン26が埋設される。
このようにして、全ての揺動爪部材Ｒが組み付けられた状態を図１３に示す。
【００７８】
図１２の分解斜視図には、奇数段歯車（第１，第３，第５被動変速歯車ｎ１，ｎ３，ｎ５）に対応する周方向溝12cvおよび長尺矩形凹部12ｐ，短尺矩形凹部12ｑに埋設される４個の揺動爪部材Ｒと、偶数段の偶数段歯車（第２，第４，第６被動変速歯車ｎ２，ｎ４，ｎ６）に対応する周方向溝12cvおよび長尺矩形凹部12ｐ，短尺矩形凹部12ｑに埋設される４個の揺動爪部材Ｒとが、互いの相対角度位置関係を維持した姿勢で図示されており、加えて各揺動爪部材Ｒを軸支する支軸ピン26および各揺動爪部材Ｒに作用する圧縮スプリング22とピン部材23が示されている。
【００７９】
揺動爪部材Ｒは、全て同じ形状のものを使用しており、軸方向視で略円弧状をなし、中央に支軸ピン26が貫通する貫通孔の外周部が欠損して軸受凹部Ｒｄが形成されており、同軸受凹部Ｒｄの揺動中心に関して一方の側に幅広矩形の係合爪部Ｒｐが形成され、他方の側には幅狭のピン受部Ｒｒが延出し、その端部は幅広に拡大した幅広端部Ｒｑが形成されている。
【００８０】
揺動爪部材Ｒは、ピン受部Ｒｒがピン孔12ｈが形成された周方向溝12cvに揺動自在に嵌合し、一方の係合爪部Ｒｐが長尺矩形凹部12ｐに揺動自在に嵌合するとともに軸受凹部Ｒｄが軸方向溝12avに合致し、他方の幅広端部Ｒｑが短尺矩形凹部12ｑに嵌合する。
そして、合致した軸受凹部Ｒｄと軸方向溝12avに支軸ピン26が嵌合される。
【００８１】
揺動爪部材Ｒは、嵌合する周方向溝12cvに関して左右対称に形成されており、一方の幅広矩形の係合爪部Ｒｐが他方のピン受部Ｒｒおよび幅広端部Ｒｑより重く、支軸ピン26に軸支されてカウンタ歯車軸12とともに回転したとき、遠心力に対して係合爪部Ｒｐが重錘として作用して遠心方向に突出するように揺動爪部材Ｒを揺動させる。
【００８２】
揺動爪部材Ｒは、ピン受部Ｒｒが揺動中心に関して反対側の係合爪部Ｒｐ側より幅が狭く形成されている。
また、ピン受部Ｒｒは、ピン部材23を受け止めるだけの幅を具えれば足りるので、揺動爪部材Ｒを小型に形成することができ、かつ他方の係合爪部Ｒｐの遠心力による揺動を容易にすることができる。
【００８３】
周方向に隣り合う揺動爪部材Ｒは、互いに対称な姿勢にカウンタ歯車軸12に組み付けられるので、互いに所定間隔を存して対向する係合爪部Ｒｐ，Ｒｐは共通の長尺矩形凹部12ｐに嵌合し、他方の互いの近接する幅広端部Ｒｑは共通の短尺矩形凹部12ｑに嵌合する。
【００８４】
揺動爪部材Ｒの係合爪部Ｒｐの内側にカウンタ歯車軸12のスプリング受部12ｄに一端を支持された圧縮スプリング22が介装され、ピン受部Ｒｒの内側にピン孔12ｈに嵌挿されたピン部材23がカムロッドＣとの間に介装される。
【００８５】
このようにして、揺動爪部材Ｒが、支軸ピン26に揺動自在に軸支されてカウンタ歯車軸12の長尺矩形凹部12ｐ，短尺矩形凹部12ｑ，周方向溝12cvに埋設され、一方の係合爪部Ｒｐが圧縮スプリング22により外側に付勢され、他方のピン受部Ｒｒがピン部材23の進退により押圧されることで、圧縮スプリング22の付勢力および係合爪部Ｒｐの遠心力に抗して揺動爪部材Ｒが揺動する。
【００８６】
ピン部材23が遠心方向に進行して揺動爪部材Ｒを揺動したときは、揺動爪部材Ｒは係合爪部Ｒｐが長尺矩形凹部12ｐに没してカウンタ歯車軸12の中央円筒部12ａの外周面より外側に突出するものはない。
また、ピン部材23が退行したときは、圧縮スプリング22により付勢され遠心力が作用する係合爪部Ｒｐがカウンタ歯車軸12の中央円筒部12ａの外周面より外側に突出し被動変速歯車ｎと係合可能とする。
【００８７】
揺動爪部材Ｒの係合爪部Ｒｐの内側面と対向するカウンタ歯車軸12の長尺矩形凹部12ｐとの間に圧縮スプリング22が介装されるので、軸方向にスプリング専用のスペースが不要であり、カウンタ歯車軸12の軸方向の大型化を避けることができるとともに、圧縮スプリング22を揺動爪部材Ｒの軸方向幅の中央に配置して揺動爪部材Ｒ自体を軸方向両側を対称に形成することができ、よって被動変速歯車ｎとカウンタ歯車軸12の相対回転方向の両方向で係合および係合解除がなされる２種類の揺動爪部材を同じ形状の揺動爪部材Ｒとすることができ、形状の異なる揺動爪部材を用意する必要がない。
【００８８】
圧縮スプリング22がカウンタ歯車軸12の軸方向を長径とする楕円形状をなし、楕円形状をした圧縮スプリング22は、長径が揺動爪部材Ｒのピン受部Ｒｒの幅より大きく、ピン受部Ｒｒを揺動可能に嵌合する周方向に一周に亘って形成される周方向溝12cvを跨いで受け止められるので、カウンタ歯車軸12の加工を容易にするとともに、揺動爪部材Ｒを安定してカウンタ歯車軸12に組み付けることができる。
【００８９】
奇数段歯車（第１，第３，第５被動変速歯車ｎ１，ｎ３，ｎ５）に対応する４個の揺動爪部材Ｒと、偶数段の偶数段歯車（第２，第４，第６被動変速歯車ｎ２，ｎ４，ｎ６）に対応する４個の揺動爪部材Ｒは、互いに軸中心に90度回転した相対角度位置関係にある。
【００９０】
奇数段歯車（第１，第３，第５被動変速歯車ｎ１，ｎ３，ｎ５）に対応する４個の揺動爪部材Ｒは、歯車の正回転方向で当接して各奇数段被動変速歯車ｎ１，ｎ３，ｎ５とカウンタ歯車軸12とが同期して回転するように係合する正回転奇数段揺動爪部材Ｒaoと、歯車の逆回転方向で当接して各奇数段被動変速歯車ｎ１，ｎ３，ｎ５とカウンタ歯車軸12とが同期して回転するように係合する逆回転奇数段係合部材Ｒboとが、それぞれ対称位置に一対ずつ設けられる。
【００９１】
同様に、偶数段歯車（第２，第４，第６被動変速歯車ｎ２，ｎ４，ｎ６）に対応する４個の揺動爪部材Ｒは、歯車の正回転方向で当接して各偶数段被動変速歯車ｎ２，ｎ４，ｎ６とカウンタ歯車軸12とが同期して回転するように係合する正回転偶数段揺動爪部材Ｒaeと、歯車の逆回転方向で当接して各偶数段被動変速歯車ｎ２，ｎ４，ｎ６とカウンタ歯車軸12とが同期して回転するように係合する逆回転偶数段係合部材Ｒbeとが、それぞれ対称位置に一対ずつ設けられる。
【００９２】
正回転奇数段揺動爪部材Ｒaoが前記正回転奇数段用カムロッドＣaoの移動により進退するピン部材23により揺動し、逆回転奇数段係合部材Ｒboが前記逆回転奇数段用カムロッドＣboの移動により進退するピン部材23により揺動する。
同様に、正回転偶数段揺動爪部材Ｒaeが前記正回転偶数段用カムロッドＣaeの移動により進退するピン部材23により揺動し、逆回転偶数段係合部材Ｒbeが前記逆回転偶数段用カムロッドＣbeの移動により進退するピン部材23により揺動する。
【００９３】
カウンタ歯車軸12に係合手段20を組み込む場合、まず右端の軸受カラー部材13を中央円筒部12ａの外周端部に外装し、その軸受カラー部材13の内側の軸方向溝12avに支軸ピン26の一端を嵌入するようにして右端の係合手段20を組み込み、次の軸受カラー部材13を前記支軸ピン26の他端を覆うように外装した後、前段と同じようにして次段の係合手段20を組み込むことを、順次繰り返して、最後に左端の軸受カラー部材13を外装して終了する。
【００９４】
図１４に示すように、軸受カラー部材13は、中央円筒部12ａの長尺矩形凹部12ｐおよび短尺矩形凹部12ｑ以外の軸方向位置に外装され、それは軸方向溝12avに一列に連続して埋設される支軸ピン26の隣り合う支軸ピン26，26に跨って配置され、支軸ピン26および揺動爪部材Ｒの脱落を防止する。
カウンタ歯車軸12の中央円筒部12ａの軸方向溝12avに埋設される支軸ピン26は、中央円筒部12ａの外周面に接する深さに埋設されるので、軸受カラー部材13が外装されると、ガタなく固定される。
【００９５】
正回転奇数段揺動爪部材Ｒao（正回転偶数段揺動爪部材Ｒae）と逆回転奇数段係合部材Ｒbo（逆回転偶数段係合部材Ｒbe）は、互いに対向する側に係合爪部Ｒｐ，Ｒｐを延出しており、正回転奇数段揺動爪部材Ｒao（正回転偶数段揺動爪部材Ｒae）は被動変速歯車ｎ（およびカウンタ歯車軸12）の正回転方向で係合凸部31に当接して係合し、逆回転奇数段係合部材Ｒbo（逆回転偶数段係合部材Ｒbe）は被動変速歯車ｎの逆の回転方向で、係合凸部31に当接して係合する。
【００９６】
なお、正回転奇数段揺動爪部材Ｒao（正回転偶数段揺動爪部材Ｒae）は被動変速歯車ｎの逆の回転方向では係合爪部Ｒｐが外側に突出していても係合せず、同様に、逆回転奇数段係合部材Ｒbo（逆回転偶数段係合部材Ｒbe）は被動変速歯車ｎの正回転方向では係合爪部Ｒｐが外側に突出していても係合しない。
【００９７】
カムロッドＣがニュートラル位置にあれば、全ての被動変速歯車ｎは、それぞれ対応する係合手段20のカムロッドＣの移動位置によりピン部材23が突出して揺動爪部材Ｒのピン受部Ｒｑを内側から押し上げ係合爪部Ｒｐを内側に引っ込めた係合解除状態にあって、カウンタ歯車軸12に対して自由に回転する。
【００９８】
一方、係合手段20のカムロッドＣのニュートラル位置以外の移動位置によりピン部材23がカム溝ｖ（および規制ロッドＥ，Ｆの切欠きｅ，ｆ）に入り揺動爪部材Ｒが揺動して係合爪部Ｒｐを外側に突出した係合可能状態となれば、対応する被動変速歯車ｎの係合凸部31が係合爪部Ｒｐに当接して、該被動変速歯車ｎの回転がカウンタ歯車軸12に伝達されるか、またはカウンタ歯車軸12の回転が該被動変速歯車ｎに伝達される。
【００９９】
前記変速駆動手段50において、シフトセレクトレバーの手動操作によってシフトドラム67を所定量回動し、シフトドラム67の回動がシフト溝67ｖに嵌合したシフトピン58を介してコントロールロッド51を軸方向に所定量移動し、ロストモーション機構52，53を介して係合手段20の８本のカムロッドＣao，Ｃao，Ｃae，Ｃae，Ｃbo，Ｃbo，Ｃbe，Ｃbeを連動する。
【０１００】
カムロッドＣ（および規制ロッドＥ，Ｆ）が軸方向に移動することで、カムロッドＣのカム面に摺接するピン部材23がカム溝ｖに入ったり抜けたりして進退し、揺動爪部材Ｒを揺動して、被動変速歯車ｎとの係合を解除し、他の被動変速歯車ｎと係合してカウンタ歯車軸12と係合する被動変速歯車ｎを変えることで変速が行われる。
【０１０１】
内燃機関の動力は、摩擦クラッチ５を介してメイン歯車軸11に伝達されて、第１，第２，第３，第４，第５，第６駆動変速歯車ｍ１，ｍ２，ｍ３，ｍ４，ｍ５，ｍ６を一体に回転しており、これらにそれぞれ常時噛合する第１，第２，第３，第４，第５，第６被動変速歯車ｎ１，ｎ２，ｎ３，ｎ４，ｎ５，ｎ６をそれぞれの回転速度で回転させている。
図２ないし図５は、１速状態を示しており、図４では第１被動変速歯車ｎ１が矢印方向に回転し、図５では第２被動変速歯車ｎ２が矢印方向に回転しており、第１被動変速歯車ｎ１よりも第２被動変速歯車ｎ２が高速で回転している。
【０１０２】
そして、図１５は、１速の加速状態（内燃機関からの動力が伝達される状態）におけるカムロッドＣae，Ｃbo，Ｃao，Ｃbeと規制ロッドＥ，Ｆおよびピン部材23の位置関係を示す説明図である。
シフトアップするにはコントロールロッド51を右方に移動し、シフトダウンするにはコントロールロッド51を左方に移動し、コントロールロッド51の移動に伴い規制ロッドＥ，Ｆは一体に移動するとともに、カムロッドＣae，Ｃbo，Ｃao，Ｃbeもロストモーション機構52，53を介して連動することになる。
【０１０３】
図１５に示すように、１速段が確立した状態では、正回転偶数段用カムロッドＣaeのカム溝ｖ２，ｖ４に対応する規制ロッドＥの切欠きｅ２，ｅ４は、それぞれカム溝ｖ２，ｖ４よりもシフトアップ時のコントロールロッド51の移動方向である右方と反対側の左方に長尺に形成されている。
同様に、正回転奇数段用カムロッドＣaoのカム溝ｖ１，ｖ３，ｖ５に対応する規制ロッドＦの切欠きｆ１，ｆ３，ｆ５は、それぞれカム溝ｖ１，ｖ３，ｖ５よりもシフトアップ時のコントロールロッド51の移動方向である右方と反対側の左方に長尺に形成されている。
【０１０４】
一方、逆回転奇数段用カムロッドＣboのカム溝ｖ３，ｖ５に対応する規制ロッドＥの切欠きｅ３，ｅ５は、それぞれカム溝ｖ３，ｖ５よりもシフトダウン時のコントロールロッド51の移動方向である左方と反対側の右方に長尺に形成され、逆回転偶数段用カムロッドＣbeのカム溝ｖ２，ｖ４，ｖ６に対応する規制ロッドＦの切欠きｆ２，ｆ４，ｆ６は、それぞれカム溝ｖ２，ｖ４，ｖ６よりもシフトダウン時のコントロールロッド51の移動方向である左方と反対側の右方に長尺に形成されている。
【０１０５】
なお、特別に規制ロッドＥの切欠きｅ１と切欠きｅ６は、それぞれ対応する逆回転奇数段用カムロッドＣboのカム溝ｖ１と正回転偶数段用カムロッドＣaeのカム溝ｖ６と略同じ短尺の幅長となっている。
【０１０６】
規制ロッドＥ，ＦとカムロッドＣとは相対的に左右軸方向に摺動するが、規制ロッドＥ，Ｆの切欠きはその幅内にカムロッドＣの対応するカム溝ｖが位置することができる。
そして、カムロッドＣの幅より外径が大きいピン部材23は、カムロッドＣのカム溝ｖに入って没しているときには、同時に規制ロッドＥ，Ｆの切欠きにも入っている。
【０１０７】
図１５に示す１速の加速状態では、正回転奇数段用カムロッドＣaoのカム溝ｖ１と逆回転奇数段用カムロッドＣboのカム溝ｖ１にピン部材23が入っていると同時に、規制ロッドＥの切欠きｅ１と規制ロッドＦの切欠きｆ１にも同じピン部材23が入っている。
その他のピン部材23は、全てカムロッドＣのカム溝ｖに落ち込まずにカムロッドＣの摺接面に接して突出している。
【０１０８】
すなわち、第１被動変速歯車ｎ１に対応する係合手段20のピン部材23のみが奇数段用カムロッドＣao，Ｃboのカム溝ｖ１，ｖ１に入っており（図２参照）、したがって該係合手段20の奇数段揺動爪部材Ｒao，Ｒboが係合爪部Ｒｐ，Ｒｐを外側に突出しており、奇数段揺動爪部材Ｒao，Ｒboのうち正回転奇数段揺動爪部材Ｒaoの係合爪部Ｒｐに回転する第１被動変速歯車ｎ１の係合凸部31が係合して（図４参照）、カウンタ歯車軸12を第１被動変速歯車ｎ１とともに第１被動変速歯車ｎ１と同じ回転速度で回転している。
【０１０９】
この１速の加速状態では、第２被動変速歯車ｎ２は、対応する係合手段20のピン部材23が偶数段用カムロッドＣae，Ｃbeのカム溝ｖ２から出て突出し（図３参照）、該係合手段20の偶数段揺動爪部材Ｒae，Ｒbeが係合爪部Ｒｐを内側に引っ込めているので、空回りしている。
他の第３，第４，第５被動変速歯車ｎ３，ｎ４，ｎ５，ｎ６も同様で空回りしている（図２，図３参照）。
【０１１０】
第１被動変速歯車ｎ１の係合凸部31に係合して動力伝達しているのは、正回転奇数段揺動爪部材Ｒaoであり、この第１被動変速歯車ｎ１の動力を受けている正回転奇数段揺動爪部材Ｒaoをピン部材23の突出で揺動して係合を解除させるには相当大きな摩擦抵抗があり、当該ピン部材23を突出させることは困難で、当該ピン部材23は正回転奇数段用カムロッドＣaoのカム溝ｖ１および規制ロッドＦの切欠きｆ１に落ち込んだ状態（図１５参照）で外端を正回転奇数段揺動爪部材Ｒaoにより押さえ込まれた状態にある。
図１５および図１６では、揺動爪部材Ｒで突出を押さえ込まれた状態にあるピン部材23に格子ハッチを施している。
【０１１１】
突出を押さえ込まれたピン部材23がカム溝ｖに入ったカムロッドＣおよび切欠きｅ，ｆに入った規制ロッドＥ，Ｆは、当該ピン部材23により移動が規制される。
したがって、図１５に示す１速の加速状態では、突出を押さえ込まれたピン部材23がカム溝ｖ１に入った正回転奇数段用カムロッドＣaoは左右軸方向いずれの方向にも移動が規制されている。
【０１１２】
また、同じピン部材23が切欠きｆ１に入った規制ロッドＦも移動を規制されるが、切欠きｆ１がカム溝ｖ１より長尺であり、１速の加速状態では図１５に示すように、切欠きｆ１はカム溝ｖ１より軸方向左方に長尺であるので、規制ロッドＦは左方には移動が規制されるが、右方には所定距離移動が許される。
すなわち、規制ロッドＦとコッタ80を介して結合されたコントロールロッド51は、左方には移動が規制されるが、右方には所定距離移動が許される。
【０１１３】
この１速から加速状態で２速にシフトアップする場合、シフトセレクトレバーの手動操作によってシフトドラム67を回動しコントロールロッド51を軸方向右方に移動しようとするが、規制ロッドＦに結合されたコントロールロッド51は右方には移動を許されているので、容易に右方に移動することができる。
なお、１速の加速状態からシフトダウンするようなシフトセレクトレバーの手動操作は、コントロールロッド51が左方への移動を規制されていることからできない。
【０１１４】
１速の加速状態からコントロールロッド51が軸方向右方に移動すると、ロストモーション機構52，53のコイルスプリング52ｓ，53ｓを介して８本のカムロッドＣao，Ｃao，Ｃae，Ｃae，Ｃbo，Ｃbo，Ｃbe，Ｃbeを連動して軸方向右方に移動しようとするが、正回転奇数段用カムロッドＣaoは、ピン部材23を介して作動する正回転奇数段揺動爪部材Ｒaoが第１被動変速歯車ｎ１の係合凸部31と係合して第１被動変速歯車ｎ１から動力を受けているので、正回転奇数段揺動爪部材Ｒaoを揺動して係合を解除するのに相当大きな摩擦抵抗があり、当初直ぐには移動せず、よって逆回転偶数段用カムロッドＣbeも停止したままであるが、正回転偶数段用カムロッドＣaeと逆回転奇数段用カムロッドＣboは抵抗なく移動する。
逆回転奇数段用カムロッドＣboの移動で１速の逆回転奇数段揺動爪部材Ｒboが係合爪部Ｒｐを内側に引っ込める。
【０１１５】
正回転偶数段用カムロッドＣaeの移動で、カム溝ｖ２にピン部材23が入り、よって第２被動変速歯車ｎ２に対応する正回転偶数段揺動爪部材Ｒaeが圧縮スプリング22の付勢力および係合爪部Ｒｐの遠心力により揺動して係合爪部Ｒｐを外側に突出し、第２被動変速歯車ｎ２に係合可能となり、第１被動変速歯車ｎ１とともに回転するカウンタ歯車軸12より高速で回転する第２被動変速歯車ｎ２の係合凸部31が正回転偶数段揺動爪部材Ｒaeの外側に突出した係合爪部Ｒｐに追いつき当接する。
【０１１６】
この直後から、より高速で回転する第２被動変速歯車ｎ２によりカウンタ歯車軸12が第２被動変速歯車ｎ２と同じ回転速度で回転し始め、第１被動変速歯車ｎ１の係合凸部31から正回転奇数段揺動爪部材Ｒaoの係合爪部Ｒｐが離れ、実際の１速から２速へのシフトアップが実行される。
【０１１７】
第１被動変速歯車ｎ１の係合凸部31から正回転奇数段揺動爪部材Ｒaoの係合爪部Ｒｐが離れることで、正回転奇数段揺動爪部材Ｒaoを固定する摩擦抵抗が無くなり、ロストモーション機構53のコイルスプリング53ｓにより付勢されていた正回転奇数段用カムロッドＣaoが後れて右方に移動してカム溝ｖ１に入っていたピン部材23が抜け出し、正回転奇数段揺動爪部材Ｒaoを揺動してその係合爪部Ｒｐを内側に引っ込める。
【０１１８】
以上のように、１速の加速状態から減速比が１段小さい２速状態にシフトアップする際に、第１被動変速歯車ｎ１の係合凸部31が正回転奇数段揺動爪部材Ｒaoの係合爪部Ｒｐに当接して係合しカウンタ歯車軸12を第１被動変速歯車ｎ１と同速度で回転させている状態で、より高速で回転する第２被動変速歯車ｎ２の係合凸部31が正回転偶数段揺動爪部材Ｒaeの係合爪部Ｒｐに追いつき当接してカウンタ歯車軸12を第２被動変速歯車ｎ２とともにより高速度で回転させて変速するので、第１被動変速歯車ｎ１の係合凸部31から正回転奇数段揺動爪部材Ｒaoの係合爪部Ｒｐは自然と離れていき係合が円滑に解除されるため、係合解除に力を要せず滑らかに作動して滑らかなシフトアップを行うことができる。
【０１１９】
２速から３速、３速から４速、４速から５速、５速から６速の各シフトアップも同様に、被動変速歯車ｎが揺動爪部材Ｒに係合している状態で、減速比が１段小さい被動変速歯車ｎが揺動爪部材Ｒに係合してシフトアップがなされるので、係合解除に力を要せず滑らかに作動して変速用のクラッチを必要とせず、かつシフトアップ時の切換え時間に全くロスがなく、駆動力の抜けがないとともに変速ショックも小さく、滑らかなシフトアップを行うことができる。
【０１２０】
シフトダウンも同様に、被動変速歯車ｎが揺動爪部材Ｒに係合している状態で、減速比が１段大きい被動変速歯車ｎに揺動爪部材Ｒが係合してシフトダウンがなされるので、係合解除に力を要せず滑らかに作動して変速用のクラッチを必要とせず、かつシフトダウン時の切換え時間に全くロスがなく、駆動力の抜けがないとともに変速ショックも小さく、滑らかなシフトダウンを行うことができる。
【０１２１】
図１６は、２速の加速状態のカムロッドＣと規制ロッドＥ，Ｆおよびピン部材23の位置関係を示しており、第２被動変速歯車ｎ２に対応する係合手段20のピン部材23が、正回転偶数段用カムロッドＣaeのカム溝ｖ２と逆回転偶数段用カムロッドＣbeのカム溝ｖ２に入っていると同時に、同じピン部材23が規制ロッドＥの切欠きｅ２と規制ロッドＦの切欠きｆ２にも入っている。
その他のピン部材23は、全てカムロッドＣのカム溝ｖに落ち込まずにカムロッドＣの摺接面に接して突出している。
【０１２２】
第２被動変速歯車ｎ２の係合凸部31に係合して動力伝達しているのは、正回転偶数段揺動爪部材Ｒaeであり、同正回転偶数段揺動爪部材Ｒaeを作動するピン部材23（図１６で格子ハッチが施されたピン部材23）は、正回転偶数段用カムロッドＣaeのカム溝ｖ２と規制ロッドＥの切欠きｅ２とに落ち込んだ状態で外端を正回転偶数段揺動爪部材Ｒaeにより押さえ込まれた状態にある。
【０１２３】
したがって、突出を押さえ込まれた当該ピン部材23がカム溝ｖ２に入った正回転偶数段用カムロッドＣaeは左右軸方向いずれの方向にも移動が規制されている。
また、同じピン部材23が切欠きｅ２に入った規制ロッドＥも移動を規制されるが、切欠きｅ２がカム溝ｖ２より長尺であり、２速状態では図１６に示すように、切欠きｅ２は対応するカム溝ｖ２より軸方向左方に長尺であるので、規制ロッドＥは左方には移動が規制されるが、右方には所定距離移動が許される。
【０１２４】
すなわち、規制ロッドＥと結合されたコントロールロッド51は、左方には移動が規制されるが、右方には所定距離移動が許される。
したがって、２速から加速状態で３速にシフトアップしようとして、シフトセレクトレバーを手動操作すると、コントロールロッド51の右方への移動は許されているので、滑らかに操作でき、３速に変速することができる。
【０１２５】
しかし、２速の加速状態にあって１速にシフトダウンしようとした場合、シフトセレクトレバーを手動操作してコントロールロッド51を軸方向左方に移動しようとしても、コントロールロッド51はピン部材23により左方の移動が規制されているので、移動できず、よって、シフトセレクトレバーの手動操作自体が規制される。
【０１２６】
元来、２速の加速状態では、第２被動変速歯車ｎ２が正回転偶数段用カムロッドＣaeに係合した状態が維持されているので、シフトダウン操作をしても第２被動変速歯車ｎ２より回転が遅い第１被動変速歯車ｎ１が正回転偶数段用カムロッドＣaeに係合することはなく、よって２速の係合状態は維持されたまま１速に変速することができない。
このように、加速状態ではシフトダウンができないにもかかわらず、従来はコントロールロッド51は左方に移動可能でシフトセレクトレバーの操作も規制されることなく操作できたために、運転者は違和感を覚えることになった。
また、加速中にシフトダウンしも何も起こらないが、その後減速に転じた時点でシフトダウンが起きることになり、この動きに対しても運転者は違和感を覚える。
このような事態を避けるべく、本多段変速機の場合は、加速状態でのシフトダウンのシフトセレクトレバーの手動操作自体を規制することとしたので、運転者は違和感を覚えることがない。
【０１２７】
図１７は、２速の減速状態（駆動輪側からの動力が伝達される状態）を示しており、図１６の２速の加速状態と比べて、格子ハッチが施されたピン部材23が異なる。
すなわち、駆動輪側（カウンタ歯車軸12）からの動力を第２被動変速歯車ｎ２に伝達しているのは、逆回転偶数段揺動爪部材Ｒbeであり、同逆回転偶数段揺動爪部材Ｒbeを作動するピン部材23（図１７で格子ハッチが施されたピン部材23）は、逆回転偶数段用カムロッドＣbeのカム溝ｖ２と規制ロッドＦの切欠きｆ２とに落ち込んだ状態で外端を逆回転偶数段揺動爪部材Ｒbeにより押さえ込まれた状態にある。
【０１２８】
したがって、突出を押さえ込まれた当該ピン部材23が切欠きｆ２に入った規制ロッドＦは、移動が規制されるが、切欠きｆ２がカム溝ｖ２より長尺であり、２速状態では図１７に示すように、切欠きｆ２は対応するカム溝ｖ２より軸方向右方に長尺であるので、規制ロッドＦは右方には移動が規制されるが、左方には所定距離移動が許される。
すなわち、規制ロッドＦと結合されたコントロールロッド51は、右方には移動が規制されるが、左方には所定距離移動が許される。
【０１２９】
したがって、２速から減速状態で１速にシフトダウンしようとして、シフトセレクトレバーを手動操作すると、コントロールロッド51の左方への移動は許されているので、滑らかに操作でき、１速に変速することができる。
【０１３０】
しかし、２速の減速状態にあって３速にシフトアップしようとした場合、シフトセレクトレバーを手動操作してコントロールロッド51を軸方向右方に移動しようとしても、コントロールロッド51はピン部材23により右方の移動が規制されているので、移動できず、よって、シフトセレクトレバーの手動操作自体が規制される。
【０１３１】
以上、１速と２速状態について記述したが、他の変速段についても同じであり、ある変速段が確立した状態で、加速時のシフトダウンおよび減速時のシフトアップは、運転者のシフト操作自体を規制して操作できないようにすることで、運転者が違和感を覚えることがないようにしている。
【０１３２】
規制ロッドＥ，Ｆが正回転用のカムロッドＣと逆回転用のカムロッドＣに互いに軸方向に摺動自在に挟まれて束となり、束の状態でカウンタ歯車軸12のカム案内溝12ｇに嵌合されるので、案内溝12ｇをそれぞれに設ける必要がなく、少なくてすみカウンタ歯車軸12の加工工数が削減できる。
【０１３３】
また、正回転用と逆回転用の２本のカムロッドＣのカム溝ｖにそれぞれ対応する切欠きｅ，ｆを１本の規制ロッドＥ，Ｆに設けて対応することができ、部品点数を削減することができる。
【０１３４】
規制ロッドＥ，Ｆがコントロールロッド51とは別体の部材で形成され、コッタ80の結合手段によりコントロールロッド51と一体に移動するよう結合したので、規制ロッドＥ，Ｆとコントロールロッド51がそれぞれ別に形成され、規制ロッドＥ，Ｆとコントロールロッド51を一体に形成するよりも、容易に加工形成することができる。
【符号の説明】
【０１３５】
ｍ…駆動変速歯車、ｍ１〜ｍ６…第１〜第６駆動変速歯車、
ｎ…被動変速歯車、ｎ１〜ｎ６…第１〜第６被動変速歯車、
10…多段変速機、11…メイン歯車軸、12…カウンタ歯車軸、13…軸受カラー部材、
20…係合手段、22…圧縮スプリング、23…ピン部材、26…支軸ピン、
31…係合凸部、
Ｃ…カムロッド、Ｃao…正回転奇数段用カムロッド、Ｃae…正回転偶数段用カムロッド、Ｃbo…逆回転奇数段用カムロッド、Ｃbe…逆回転偶数段用カムロッド、ｐ…係止爪、ｖ１，ｖ２，ｖ３，ｖ４，ｖ５，ｖ６…カム溝、
Ｅ…規制ロッド、ｅ，ｅ１，ｅ２，ｅ３，ｅ４，ｅ５，ｅ６…切欠き、
Ｆ…規制ロッド、ｆ，ｆ１，ｆ２，ｆ３，ｆ４，ｆ５，ｆ６…切欠き、
Ｒ…揺動爪部材、Ｒao…正回転奇数段揺動爪部材、Ｒae…正回転偶数段揺動爪部材、Ｒbo…逆回転奇数段揺動爪部材、Ｒbe…逆回転偶数段揺動爪部材、Ｒｐ…係合爪部、Ｒｒ…ピン受部、Ｒｑ…幅広端部、
50…変速駆動手段、51…コントロールロッド、51ａ，51ｂ…外周凹部、52，53…ロストモーション機構、52ｈ，53ｈ…スプリングホルダ、52ha，53ha…内周凹部、52ｓ，53ｓ…コイルスプリング、55…コントロールロッド操作子、56…ボールベアリング、57…ナット、58…シフトピン、59…係合ピン、60…溝条、65…支軸、66…ベアリング、67…シフトドラム、67ｖ…シフト溝、70…出力スプロケット、80…コッタ。
【図１】
2011033094.tif 000003
【図２】
2011033094.tif 000004
【図３】
2011033094.tif 000005
【図４】
2011033094.tif 000006
【図５】
2011033094.tif 000007
【図６】
2011033094.tif 000008
【図７】
2011033094.tif 000009
【図８】
2011033094.tif 000010
【図９】
2011033094.tif 000011
【図１０】
2011033094.tif 000012
【図１１】
2011033094.tif 000013
【図１２】
2011033094.tif 000014
【図１３】
2011033094.tif 000015
【図１４】
2011033094.tif 000016
【図１５】
2011033094.tif 000017
【図１６】
2011033094.tif 000018
【図１７】
2011033094.tif 000019